(57)【要約】  貯蔵室画像だけからでは分からない情報を、貯蔵室の状況とともに容易に把握でき、かつ、貯蔵室画像だけからでは分からない情報の入力をユーザが容易に行うことができる冷蔵庫システムを提供する。このため、冷蔵庫システムにおいて、食品を収納する貯蔵室の内部を撮影して貯蔵室画像を出力するカメラを有する冷蔵庫本体と、端末表示部を有し冷蔵庫本体と通信可能に設けられた端末装置と、カメラから出力された貯蔵室画像を記憶する貯蔵室画像記憶部と、貯蔵室に収納された食品に関する食品情報を記憶する食品情報記憶部と、食品情報記憶部に記憶された食品情報の一部又は全部を選択して出力する食品情報出力部と、貯蔵室画像記憶部に記憶された貯蔵室画像に、食品情報出力部が出力した食品情報を付加する食品情報付加部と、を備える。端末表示部は、食品情報付加部により付加された食品情報を貯蔵室画像に重ね合わせて表示する。
2018016054.tif 000002
【特許請求の範囲】
【請求項１】
食品を収納する貯蔵室と、前記貯蔵室の内部を撮影して貯蔵室画像を出力するカメラと、を有する冷蔵庫本体と、
端末表示部を有し、前記冷蔵庫本体と通信可能に設けられた端末装置と、
前記カメラから出力された貯蔵室画像を記憶する貯蔵室画像記憶部と、
前記貯蔵室に収納された食品に関する食品情報を記憶する食品情報記憶部と、
前記食品情報記憶部に記憶された食品情報の一部又は全部を選択して出力する食品情報出力部と、
前記貯蔵室画像記憶部に記憶された貯蔵室画像に、前記食品情報出力部が出力した食品情報を付加する食品情報付加部と、を備え、
前記端末表示部は、前記食品情報付加部により付加された食品情報を貯蔵室画像に重ね合わせて表示する冷蔵庫システム。
【請求項２】
前記貯蔵室画像記憶部及び前記食品情報付加部は、前記冷蔵庫本体に設けられた請求項１に記載の冷蔵庫システム。
【請求項３】
前記冷蔵庫本体は、
前記貯蔵室を開閉する扉と、
前記扉の外面側に設けられ、情報を表示可能な本体表示部と、をさらに備え、
前記食品情報記憶部及び前記食品情報出力部は、前記冷蔵庫本体に設けられ、
前記本体表示部は、前記貯蔵室画像記憶部に記憶された貯蔵室画像と、前記食品情報記憶部に記憶された食品情報とを表示可能である請求項２に記載の冷蔵庫システム。
【請求項４】
前記食品情報記憶部及び前記食品情報出力部は、前記端末装置に設けられ、
前記端末表示部は、前記貯蔵室画像記憶部に記憶された貯蔵室画像と、前記食品情報記憶部に記憶された食品情報とを表示可能である請求項２に記載の冷蔵庫システム。
【請求項５】
前記端末装置と通信可能に設けられたサーバ装置を備え、
前記食品情報記憶部は、前記サーバ装置に設けられ、
前記食品情報出力部は、前記端末装置に設けられ、
前記端末表示部は、前記貯蔵室画像記憶部に記憶された貯蔵室画像と、前記食品情報記憶部に記憶された食品情報とを表示可能である請求項２に記載の冷蔵庫システム。
【請求項６】
前記冷蔵庫本体及び前記端末装置と通信可能に設けられたサーバ装置を備え、
前記貯蔵室画像記憶部、前記食品情報付加部及び前記食品情報記憶部は、前記サーバ装置に設けられ、
前記食品情報出力部は、前記端末装置に設けられ、
前記端末表示部は、前記貯蔵室画像記憶部に記憶された貯蔵室画像と、前記食品情報記憶部に記憶された食品情報とを表示可能である請求項１に記載の冷蔵庫システム。
【請求項７】
前記食品情報記憶部が記憶する食品情報には、食品に関するイラスト又は記号からなるスタンプ情報が含まれる請求項１から請求項６のいずれか一項に記載の冷蔵庫システム。
【請求項８】
前記食品情報記憶部が記憶する食品情報には、食品に関する日付からなる日付情報が含まれる請求項１から請求項７のいずれか一項に記載の冷蔵庫システム。
【請求項９】
前記食品情報記憶部が記憶する食品情報には、食品に関する文章からなる定型文情報が含まれる請求項１から請求項８のいずれか一項に記載の冷蔵庫システム。
【請求項１０】
前記食品情報記憶部が記憶する食品情報を編集する食品情報編集部をさらに備えた請求項１から請求項９のいずれか一項に記載の冷蔵庫システム。
【請求項１１】
前記端末装置が、当該端末装置の前記端末表示部に、前記貯蔵室画像記憶部に記憶された貯蔵室画像を表示する権限を有しているか否かを認証する認証部をさらに備えた請求項１から請求項１０のいずれか一項に記載の冷蔵庫システム。
【発明の詳細な説明】
【技術分野】
【０００１】
この発明は、冷蔵庫システムに関するものである。
【背景技術】
【０００２】
従来における冷蔵庫システムにおいては、内箱と外箱とより構成され前面が開口した冷蔵庫本体と、冷蔵庫本体を仕切ることで構成される収納室と、収納室を覆う断熱扉と、収納室又は断熱扉に設けられ収納室の内部を撮像するカメラと、を備え、表示端末等によって、カメラが撮像した冷蔵庫内の食品状況を確認することができるものが知られている（例えば、特許文献１参照）。また、この特許文献１に記載されたものでは、ユーザは表示端末に出力された冷蔵庫内の画像上をなぞる事で画像上にメモ情報を入力し、これを反映させることができる。
【先行技術文献】
【特許文献】
【０００３】
【特許文献１】日本特開２０１５−０７２１０９号公報
【発明の概要】
【発明が解決しようとする課題】
【０００４】
しかしながら、特許文献１に示された従来における冷蔵庫システムにおいては、扉を開けずに冷蔵庫内の状況を確認でき、また、冷蔵庫の貯蔵室内の画像（貯蔵室画像）だけからでは分からない情報をメモ情報として入力して反映させることができるものの、貯蔵室画像だけからでは分からない情報を、ユーザが画像上をなぞることで入力する必要があり、非常に手間がかかる。【０００５】
この発明は、このような課題を解決するためになされたもので、貯蔵室画像だけからでは分からない情報を、貯蔵室の状況とともに容易に把握でき、かつ、貯蔵室画像だけからでは分からない情報の入力をユーザが容易に行うことができる冷蔵庫システムを得るものである。
【課題を解決するための手段】
【０００６】
この発明に係る冷蔵庫システムにおいては、食品を収納する貯蔵室と、前記貯蔵室の内部を撮影して貯蔵室画像を出力するカメラと、を有する冷蔵庫本体と、端末表示部を有し、前記冷蔵庫本体と通信可能に設けられた端末装置と、前記カメラから出力された貯蔵室画像を記憶する貯蔵室画像記憶部と、前記貯蔵室に収納された食品に関する食品情報を記憶する食品情報記憶部と、前記食品情報記憶部に記憶された食品情報の一部又は全部を選択して出力する食品情報出力部と、前記貯蔵室画像記憶部に記憶された貯蔵室画像に、前記食品情報出力部が出力した食品情報を付加する食品情報付加部と、を備え、前記端末表示部は、前記食品情報付加部により付加された食品情報を貯蔵室画像に重ね合わせて表示する構成とする。
【発明の効果】
【０００７】
この発明に係る冷蔵庫システムにおいては、貯蔵室画像だけからでは分からない情報を、貯蔵室の状況とともに容易に把握でき、かつ、貯蔵室画像だけからでは分からない情報の入力をユーザが容易に行うことができるという効果を奏する。
【図面の簡単な説明】
【０００８】
【図１】この発明の実施の形態１に係る冷蔵庫システムが備える冷蔵庫の正面図である。
【図２】この発明の実施の形態１に係る冷蔵庫システムの全体構成と冷蔵庫の冷蔵室の構成とを模式的に示す図である。
【図３】この発明の実施の形態１に係る冷蔵庫システムが備える端末装置の表示画面の一例を示す図である。
【図４】この発明の実施の形態１に係る冷蔵庫システムが備える端末装置の表示画面の一例を示す図である。
【図５】この発明の実施の形態１に係る冷蔵庫システムが備える端末装置の表示画面の一例を示す図である。
【図６】この発明の実施の形態１に係る冷蔵庫システムが備える端末装置の表示画面の一例を示す図である。
【図７】この発明の実施の形態１に係る冷蔵庫システムが備える端末装置の表示画面の一例を示す図である。
【図８】この発明の実施の形態１に係る冷蔵庫システムの動作を示すフロー図である。
【図９】この発明の実施の形態２に係る冷蔵庫システムの全体構成と冷蔵庫の冷蔵室の構成とを模式的に示す図である。
【図１０】この発明の実施の形態３に係る冷蔵庫システムの全体構成と冷蔵庫の冷蔵室の構成とを模式的に示す図である。
【図１１】この発明の実施の形態４に係る冷蔵庫システムの全体構成と冷蔵庫の冷蔵室の構成とを模式的に示す図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図８は、この発明の実施の形態１に係るもので、図１は冷蔵庫システムが備える冷蔵庫の正面図、図２は冷蔵庫システムの全体構成と冷蔵庫の冷蔵室の構成とを模式的に示す図、図３から図７は、冷蔵庫システムが備える端末装置の表示画面の一例を示す図、図８は冷蔵庫システムの動作を示すフロー図である。
【００１１】
この発明の実施の形態１に係る冷蔵庫システムは、冷蔵庫１０００を備えている。冷蔵庫１０００は、この発明の実施の形態１に係る冷蔵庫システムにおける冷蔵庫本体である。この実施の形態１においては、冷蔵庫１０００は、冷蔵室１００、製氷室２００、切替室３００、冷凍室４００及び野菜室５００を備えている。これらの冷蔵室１００、製氷室２００、切替室３００、冷凍室４００及び野菜室５００は、食品を収納する貯蔵室である。
【００１２】
図１に示すように、上から冷蔵室１００、製氷室２００及び切替室３００、冷凍室４００、野菜室５００の順で配置されている。製氷室２００と切替室３００とは、同じ上下位置において左右に並んで配置されている。冷蔵室１００の前面には、冷蔵室１００を開閉する冷蔵室扉１０１が設けられている。冷蔵室扉１０１は、貯蔵室を開閉する扉の一例である。また、製氷室２００、切替室３００、冷凍室４００及び野菜室５００は、それぞれの前面に設けられた扉と共に、冷蔵庫１０００の手前側に引き出すことができるように構成されている。
【００１３】
冷蔵室扉１０１の前面すなわち外面側には、操作パネル１が設けられている。操作パネル１は、パネル表示部１ａを備えている。パネル表示部１ａは、情報を表示可能な本体表示部である。パネル表示部１ａには、例えば、各貯蔵室の設定温度及び現在の温度等の庫内情報を表示可能である。パネル表示部１ａは、例えば液晶ディスプレイ等を備えている。操作パネル１は、例えばタッチパネル、ボタン、スイッチ等の操作部を備えている。ユーザは、操作パネル１の操作部を操作することにより、必要な情報を入力することができるようになっている。なお、操作パネル１の設置位置は、冷蔵室１００の扉に限るものではなく、他の貯蔵室の扉、冷蔵庫１０００の側面等であってもよい。
【００１４】
図２に示すように、冷蔵室１００は、前面側（図に向かって左側）を冷蔵室扉１０１によって塞がれている。なお、図２に示す断面図は、図１中の断面Ａ−Ａ’によるものである。冷蔵室１００の内部には、複数の冷蔵室棚板１０２が設けられている。冷蔵室１００の内部は、これらの冷蔵室棚板１０２によって、上下方向に複数の空間（棚）に仕切られている。最下段の冷蔵室棚板１０２の下側の空間は、チルド室１１０である。チルド室１１０の内部には、チルドケース１１１が設置されている。チルドケース１１１は、レール等の案内部材（図示せず）に沿って、前方へ引き出すことができる。また、冷蔵室１００の背面側（図に向かって右側）には、冷却風路１０１０が形成されている。
【００１５】
冷蔵室扉１０１の内側の面には、庫内撮影装置２が設置されている。庫内撮影装置２は、貯蔵室（ここでは冷蔵室１００）の内部を撮影して貯蔵室画像を出力するカメラである。庫内撮影装置２は、冷蔵室１００の内部の天井面からチルド室１１０までを視野範囲としている。すなわち、庫内撮影装置２が撮影して出力する貯蔵室画像は、冷蔵室扉１０１側から冷蔵室１００の内部を見たユーザと同じ視点から、冷蔵室１００の内部を撮影することができる。
【００１６】
庫内撮影装置２は、例えば、冷蔵室扉１０１が開閉された時に冷蔵室１００内を撮影する。冷蔵室扉１０１が開閉されると、冷蔵室１００内の食品が出し入れされ、冷蔵室１００内の収納状態が変化する可能性があるためである。冷蔵庫１０００は、扉の開閉を検知可能なセンサを備えている。このセンサは、例えば、一般的なマグネット方式のセンサである。すなわち、例えば、冷蔵室扉１０１に埋め込まれた磁石の近接を、冷蔵庫１０００本体側に設置された一対のリードスイッチによって検出する。庫内撮影装置２は、例えば、開かれていた冷蔵室扉１０１が閉じられたことを検知した後、冷蔵室１００内が照明されている間に撮影を行う。
【００１７】
なお、庫内撮影装置２は、冷蔵室扉１０１の内側の面に限らず、冷蔵室棚板１０２に載置される食品等の収納物を撮影できる位置であればどこに設置してもよい。また、庫内撮影装置２の設置数は１つに限られず、庫内撮影装置２を複数設置してもよい。庫内撮影装置２を複数設置することで、冷蔵室１００内に収納された食品等により視野が遮られて死角が生じることを抑制することができる。
【００１８】
冷蔵庫１０００は、制御基板１００１を備えている。冷蔵庫１０００の例えば背面側の上部には、制御基板１００１が収容されている。制御基板１００１には、冷蔵庫１０００の動作に必要な各種の制御を実施するための制御回路等が備えられている。制御基板１００１は、例えばマイクロコンピュータを備えており、プロセッサ及びメモリを備えている。制御基板１００１は、メモリに記憶されたプログラムをプロセッサが実行することにより、予め設定された処理を実行し、冷蔵庫１０００を制御する。
【００１９】
制御基板１００１には、貯蔵室画像管理部３、食品情報付加部４及び無線通信部５が備えられている。これらの各部の機能は、例えば、制御基板１００１のマイクロコンピュータにおいて、メモリに記憶されたプログラムをプロセッサが実行することにより、予め設定された処理を実行することにより実現される。
【００２０】
貯蔵室画像管理部３は、庫内撮影装置２から出力された貯蔵室画像を記憶する貯蔵室画像記憶部である。前述したように、冷蔵室扉１０１の開閉が検知されると、庫内撮影装置２は、冷蔵室１００内の全体を撮影する。庫内撮影装置２は、撮影した冷蔵室１００内の全体画像（貯蔵室画像）を、貯蔵室画像管理部３に出力する。庫内撮影装置２から出力された貯蔵室画像は、貯蔵室画像管理部３に入力される。したがって、貯蔵室画像管理部３には、冷蔵室扉１０１が開閉される毎（すなわち、冷蔵室１００内の収納状態が変化する可能性がある毎）に、庫内撮影装置２から出力された貯蔵室画像が入力されることになる。こうして、貯蔵室画像管理部３には常に最新の状態の貯蔵室画像が入力される。
【００２１】
貯蔵室画像管理部３は、入力された貯蔵室画像を記憶する。この際、貯蔵室画像管理部３は、貯蔵室画像が貯蔵室画像管理部３に入力された時刻を、撮影時刻情報として当該貯蔵室画像に関連付けて記憶する。なお、以降においては、撮影時刻情報を貯蔵室画像の付帯情報とも呼ぶ。そして、貯蔵室画像管理部３は、貯蔵室画像を撮影時刻情報により撮影時刻順に並び換えて記憶する。このようにして、貯蔵室画像管理部３は、庫内撮影装置２により撮影された貯蔵室画像を管理している。なお、撮影時刻情報には、撮影された日にち（月日又は年月日）の情報も含まれている。
【００２２】
この発明の実施の形態１に係る冷蔵庫システムは、ユーザ端末９を備えている。ユーザ端末９は、冷蔵庫１０００（冷蔵庫本体）と通信可能に設けられた端末装置である。ユーザ端末９は、具体的に例えば、ＰＣ、スマートフォン、タブレット端末等である。
【００２３】
冷蔵庫１０００とユーザ端末９との間での通信を実現するため、冷蔵庫１０００には無線通信部５が設けられている。無線通信部５は、例えば周知の無線通信技術を用いて、冷蔵庫１０００とユーザ端末９との間で、情報の相互通信を行う。このようにして、冷蔵庫１０００と宅内又は宅外のユーザ端末９とは、例えば図示しないルーター及びインターネットの一方又は両方を経由して相互に通信することが可能である。なお、ユーザ端末９は、１以上設けられ、望ましくは複数設けられる。
【００２４】
ユーザ端末９は、ユーザ端末表示部９ａを備えている。ユーザ端末表示部９ａは、情報を表示可能な端末表示部である。ユーザ端末表示部９ａは、例えば、液晶ディスプレイ等を備えている。また、ユーザ端末表示部９ａをタッチパネルで構成し、情報を表示するとともに、ユーザからの操作を受け付けることができるようにしてもよい。以下においては、ユーザ端末表示部９ａをタッチパネルで構成した例について説明する。
【００２５】
このユーザ端末表示部９ａは、貯蔵室画像管理部３（貯蔵室画像記憶部）に記憶された貯蔵室画像を表示可能である。すなわち、貯蔵室画像管理部３に記憶された貯蔵室画像は、制御基板１００１に設けられた食品情報付加部４を経て、無線通信部５からユーザ端末９へと送信される。貯蔵室画像を受信したユーザ端末９は、この受信した貯蔵室画像をユーザ端末表示部９ａに表示する。
【００２６】
図３の（ａ）に示すのは、ユーザ端末表示部９ａに通常画面２１を表示した状態の一例である。通常画面２１では、貯蔵室画像が表示されている。さらにこの図３（ａ）に示す例では、通常画面２１の下部に時刻情報２３が表示されている。この時刻情報２３には、当該貯蔵室画像が撮影された時刻に関する情報である。時刻情報２３は、前述した撮影時刻情報である。撮影時刻情報は、貯蔵室画像管理部３により管理されている。このため、通常画面２１に時刻情報２３を表示する際には、冷蔵庫１０００から貯蔵室画像をユーザ端末９へと送信する際に、当該貯蔵室画像の撮影時刻情報も併せて送信するようにすればよい。
【００２７】
図３（ａ）に示した通常画面２１では、例えばスワイプ操作等により、時刻を遡って貯蔵室画像を表示できるようにしてもよい。このようにすることで、ユーザは、扉開閉時毎の冷蔵室１００内の状況を時間を遡って確認することが可能となり、時々刻々の収納食品の種類、収納量等を容易に把握することができる。
【００２８】
ユーザ端末９は、食品情報出力部６、食品情報記憶部７及び食品情報編集部８を備えている。食品情報記憶部７は、食品情報を記憶している。食品情報とは、貯蔵室（ここでは冷蔵室１００）に収納された食品に関する情報である。食品情報には、スタンプ情報、日付情報及び定型文情報のいずれかが含まれている。スタンプ情報とは、食品に関するイラスト又は記号からなる情報である。
【００２９】
日付情報とは、食品に関する日付からなる情報である。日付情報には、具体的に例えば、食品の賞味期限、消費期限、購入日、調理日のうちの１以上の日付の情報である。定型文情報とは、食品に関する文章からなる情報である。定型文情報である食品に関する文章としては、具体的に例えば、「これ食べてね」、「レンジで温めてね」、「外出用」、「保存用」等のメッセージ及び用途を示す文章等が考えられる。
【００３０】
端末表示部であるユーザ端末表示部９ａは、食品情報記憶部７に記憶された食品情報を表示可能である。すなわち、ユーザ端末９は、食品情報記憶部７に記憶されているスタンプ情報、日付情報、定型文情報を、ユーザ端末表示部９ａに表示することができる。
【００３１】
食品情報編集部８は、食品情報記憶部７が記憶する食品情報を編集するためのものである。すなわち、ユーザは、ユーザ端末９の食品情報編集部８を用いることで、食品情報記憶部７に記憶されているスタンプ情報、日付情報、定型文情報の内容を編集することができる。
【００３２】
食品情報出力部６は、食品情報記憶部７に記憶された食品情報の一部又は全部を選択して出力する。前述したように、ユーザ端末表示部９ａには、貯蔵室画像管理部３に記憶された貯蔵室画像と、食品情報記憶部７に記憶された食品情報とを表示することができる。ユーザは、ユーザ端末表示部９ａに表示された貯蔵室画像及び食品情報を確認しながら、食品情報記憶部７に記憶された食品情報のうちから、食品情報出力部６が選択して出力する情報を指定することができる。
【００３３】
この食品情報出力部６が選択して出力する食品情報の指定の具体例について、図４から図７を参照しながら説明する。まず、図４に、食品情報のうち食品情報出力部６から選択して出力するスタンプ情報を指定する場合の例を示す。図４の（ａ）に示すのは、ユーザ端末表示部９ａにスタンプ選択画面２７を表示した状態の一例である。スタンプ選択画面２７には、スタンプ一覧２９が表示されている。このスタンプ一覧２９には、食品情報記憶部７に記憶されているスタンプ情報が一覧となって表示される。ユーザは、食品情報出力部６が出力するスタンプ情報を、スタンプ一覧２９から選択して指定することができる。
【００３４】
なお、スタンプ一覧２９に表示されるスタンプ情報、すなわち、食品情報記憶部７に記憶されるスタンプ情報は、追加又は削除することが可能である。スタンプ情報の追加は、例えば、インターネットでの検索、他のユーザからの配信等により取得した新たなスタンプを、食品情報編集部８を介して登録することにより行うことができる。
【００３５】
図４の（ｂ）に示すのは、ユーザ端末表示部９ａにスタンプ配置画面２８を表示した状態の一例である。図４の（ａ）に示したスタンプ選択画面２７に表示されたスタンプ一覧２９からユーザが所望するスタンプ情報を指定すると、例えば、図４の（ｂ）に示すようなスタンプ配置画面２８がユーザ端末表示部９ａに表示される。スタンプ配置画面２８には、貯蔵室画像を背景として、選択スタンプ３０とスタンプ決定ボタン３１とが表示されている。
【００３６】
選択スタンプ３０は、スタンプ一覧２９からユーザが指定したスタンプ情報である。ユーザは、スタンプ配置画面２８において選択スタンプ３０が表示される位置を変更して、貯蔵室画像に対する選択スタンプ３０の表示位置を指定することができる。選択スタンプ３０の表示位置の指定は、例えば、選択スタンプ３０をドラッグ操作で移動し、さらに、ピンチイン／ピンアウト操作により縮小／拡大することにより行うことができるようにしてもよい。そして、ユーザがスタンプ決定ボタン３１を操作すると、食品情報出力部６から出力するスタンプ情報の指定と当該スタンプ情報の表示位置とを決定することができる。
【００３７】
図５は、食品情報のうち食品情報出力部６から選択して出力する定型文情報を指定する場合の例を示すものである。図５の（ａ）に示すのは、ユーザ端末表示部９ａに定型文選択画面３２を表示した状態の一例である。定型文選択画面３２には、定型文コメント一覧３４が表示されている。定型文コメント一覧３４が表示されている。この定型文コメント一覧３４には、食品情報記憶部７に記憶されている定型文情報が一覧となって表示される。ユーザは、食品情報出力部６が出力する定型文情報を、定型文コメント一覧３４から選択して指定することができる。
【００３８】
なお、定型文コメント一覧３４に表示される定型文情報、すなわち、食品情報記憶部７に記憶される定型文情報は、追加又は削除することが可能である。定型文情報の追加は、例えば、ユーザが食品情報編集部８を操作して作成した定型文を登録することにより行うことができる。
【００３９】
図５の（ｂ）に示すのは、ユーザ端末表示部９ａに定型文配置画面３３を表示した状態の一例である。図５の（ａ）に示した定型文選択画面３２に表示された定型文コメント一覧３４からユーザが所望する定型文情報を指定すると、例えば、図５の（ｂ）に示すような定型文配置画面３３がユーザ端末表示部９ａに表示される。定型文配置画面３３には、貯蔵室画像を背景として、選択定型文コメント３５と定型文コメント決定ボタン３６とが表示されている。
【００４０】
選択定型文コメント３５は、定型文コメント一覧３４からユーザが指定した定型文情報である。ユーザは、定型文配置画面３３において選択定型文コメント３５が表示される位置を変更して、貯蔵室画像に対する選択定型文コメント３５の表示位置を指定することができる。選択定型文コメント３５の表示位置の指定は、例えば、選択定型文コメント３５をドラッグ操作で移動することにより行うことができるようにしてもよい。そして、ユーザが定型文コメント決定ボタン３６を操作すると、食品情報出力部６から出力する定型文情報の指定と当該定型文情報の表示位置とを決定することができる。
【００４１】
ここで、前述したように、ユーザは、食品情報編集部８により定型文情報を含む食品情報を編集することができる。図６に示すのは、ユーザが食品情報編集部８により定型文情報を編集する例である。図６の（ａ）は、ユーザ端末表示部９ａに定型文編集画面３７を表示した状態の一例を示している。定型文編集画面３７には、定型文編集入力パッド３９が表示されている。
【００４２】
定型文情報は、ユーザ端末９において食品情報編集部８によって編集し、よく使用するものを食品情報記憶部７に予め記憶することが可能である。また、図５の（ａ）及び（ｂ）に示す画面を経て指定した選択定型文コメント３５の内容を元にして編集することも可能である。図５の（ｂ）で選択定型文コメント３５の編集開始操作（例えば、選択定型文コメント３５をダブルタップする等）を行うと、図６の（ａ）の定型文編集画面３７が表示される。定型文編集画面３７においては、ユーザは、定型文編集入力パッド３９を操作し、選択定型文コメント３５の内容を元にして、例えばさらに補足説明を追加する等の編集を行うことができる。
【００４３】
編集を完了すると、ユーザ端末表示部９ａには図６の（ｂ）の編集文表示画面３８が表示される。編集文表示画面３８には、編集後コメント４０が表示されている。このように、一時的に長文のコメントを付加したい場合には、食品情報記憶部７に予め記憶されている定型文情報を元にして、容易に長文のコメントを作成することができる。
【００４４】
図７は、食品情報のうち食品情報出力部６から選択して出力する日付情報を指定する場合の例を示している。図７の（ａ）に示すのは、ユーザ端末表示部９ａに日付入力画面４１を表示した状態の一例である。日付入力画面４１には、日付種類選択欄４３及び日付選択欄４４が表示されている。日付種類選択欄４３には、食品情報記憶部７に日付情報として記憶されている日付の種類が一覧となって表示される。ユーザは、食品情報出力部６が出力する日付情報の種類を、日付種類選択欄４３から選択して指定することができる。この図７（ａ）に示す例では、日付種類選択欄４３には、消費期限、作った日（調理日）及び買った日（購入日）が表示されている。そして、ユーザは、日付選択欄４４により、日付種類選択欄４３で選択した種類の日付の具体的な年月日を選決することができる。
【００４５】
なお、日付種類選択欄４３に表示される日付情報、すなわち、食品情報記憶部７に記憶される日付情報は、追加又は削除することが可能である。具体的に例えば、ユーザが食品情報編集部８を操作して賞味期限、廃棄予定日等を新たな日付の種類として追加することができる。
【００４６】
図７の（ｂ）に示すのは、ユーザ端末表示部９ａに日付配置画面４２を表示した状態の一例である。図７の（ａ）に示した日付種類選択欄４３及び日付選択欄４４によりユーザが所望する日付情報を指定すると、例えば、図７の（ｂ）に示すような日付配置画面４２がユーザ端末表示部９ａに表示される。日付配置画面４２には、貯蔵室画像を背景として、選択日付バルーン４５と日付バルーン決定ボタン４６とが表示されている。
【００４７】
選択日付バルーン４５は、日付種類選択欄４３及び日付選択欄４４からユーザが指定した日付情報である。ユーザは、日付配置画面４２において選択日付バルーン４５が表示される位置を変更して、貯蔵室画像に対する選択日付バルーン４５の表示位置を指定することができる。選択日付バルーン４５の表示位置の指定は、例えば、選択日付バルーン４５をドラッグ操作で移動することにより行うことができるようにしてもよい。そして、ユーザが日付バルーン決定ボタン４６を操作すると、食品情報出力部６から出力する日付情報の指定と当該日付情報の表示位置とを決定することができる。
【００４８】
再び図２を参照しながら、説明を続ける。以上のようにして、食品情報出力部６は、食品情報記憶部７に記憶された食品情報の一部又は全部を選択して出力する。食品情報出力部６が出力した食品情報は、ユーザ端末９から冷蔵庫１０００へと送信される。冷蔵庫１０００へと送信された食品情報は、無線通信部５により受信される。冷蔵庫１０００の制御基板１００１に設けられた食品情報付加部４は、貯蔵室画像管理部３に記憶された貯蔵室画像に、無線通信部５が受信した食品情報を付加する。
【００４９】
ここで、無線通信部５が受信した食品情報は、食品情報記憶部７に記憶された食品情報の一部又は全部を食品情報出力部６が選択して出力した食品情報である。したがって、食品情報付加部４は、貯蔵室画像管理部３に記憶された貯蔵室画像に、食品情報出力部６が出力した食品情報を付加している。
【００５０】
また、前述したように、貯蔵室画像管理部３には、貯蔵室画像とともに、当該貯蔵室画像の撮影時刻情報が、当該貯蔵室画像の付帯情報として記憶されている。そして、食品情報付加部４は、食品情報出力部６から出力された食品情報に加えて、貯蔵室画像の付帯情報（撮影時刻情報）を、貯蔵室画像に付加してもよい。
【００５１】
食品情報付加部４により食品情報が付加された貯蔵室画像は、無線通信部５によりユーザ端末９へと送信される。食品情報が付加された貯蔵室画像を受信したユーザ端末９は、この受信した貯蔵室画像をユーザ端末表示部９ａに表示する。この際、ユーザ端末表示部９ａには、受信した貯蔵室画像に付加された食品情報が、当該貯蔵室画像に重ね合わせて表示される。すなわち、端末表示部であるユーザ端末表示部９ａは、食品情報付加部４により付加された食品情報を貯蔵室画像に重ね合わせて表示する。
【００５２】
図３の（ｂ）に示すのは、ユーザ端末表示部９ａに情報付加画面２２を表示した状態の一例である。情報付加画面２２は、食品情報付加部４により付加された食品情報を貯蔵室画像に重ね合わせて表示した画面である。この図３（ｂ）に示す例では、プレゼントスタンプ２４ａ及びドクロスタンプ２４ｂが、貯蔵室画像に重ね合わされて表示されている。以下においては、プレゼントスタンプ２４ａ及びドクロスタンプ２４ｂを総称してスタンプ２４と呼ぶ。これらのスタンプ２４は、食品情報付加部４により付加されたスタンプ情報の一例である。
【００５３】
なお、プレゼントスタンプ２４ａは、例えば、奥様が遅く帰ってくる旦那様に向けて、プレゼントして用意したデザート等であることを伝えるために使用することができる。また、ドクロスタンプ２４ｂは、例えば、当該食品の賞味期限が近いことを視覚的に分かりやすくするために使用することができる。
【００５４】
また、図３（ｂ）に示す例では、伝達定型文コメント２５ａ及び警告定型文コメント２５ｂが貯蔵室画像に重ね合わされて表示されている。以下においては、伝達定型文コメント２５ａ及び警告定型文コメント２５ｂを総称して定型文コメント２５と呼ぶ。これらの定型文コメント２５は、食品情報付加部４により付加された定型文情報の一例である。これらの定型文コメント２５は、例えば、それぞれのスタンプ２４の意味を、それらのスタンプの意味を補足するために使用することができる。
【００５５】
さらに、図３（ｂ）に示す例では、賞味期限バルーン２６ａ及び調理日バルーン２６ｂが貯蔵室画像に重ね合わされて表示されている。以下においては、賞味期限バルーン２６ａ及び調理日バルーン２６ｂを総称して日付バルーン２６と呼ぶ。これらの日付バルーン２６は、食品情報付加部４により付加された日付情報の一例である。
【００５６】
以上のようにして、食品情報記憶部７に記憶されている食品情報の一部又は全部を食品情報出力部６が選択して出力し食品情報出力部６が出力した食品情報は、ユーザ端末表示部９ａにおいて、貯蔵室画像管理部３に記憶された貯蔵室画像に重ね合わされて、スタンプ２４、定型文コメント２５及び日付バルーン２６として表示される。この際、当該冷蔵庫システムが複数のユーザ端末９を備えていれば、複数のユーザ端末９のそれぞれのユーザ端末表示部９ａに、貯蔵室画像と重ね合わされたスタンプ２４、定型文コメント２５及び日付バルーン２６が表示される。
【００５７】
このため、図３（ａ）の通常画面２１を見るだけでは分からない、収納食品に関する食品情報が付加された貯蔵室画像が表示された図３（ｂ）の情報付加画面２２を、家族等の複数ユーザ間で共有することができる。すなわち、複数のユーザは、貯蔵室画像だけからでは分からない食品情報を、貯蔵室の状況とともに容易に把握できる。また、食品情報記憶部７に記憶された食品情報の一部又は全部を選択して出力する食品情報出力部６を備えたことで、ユーザは、食品情報出力部６が出力する食品情報を指定するだけで貯蔵室画像だけからでは分からない食品情報を入力することができ、ユーザが食品情報を入力容易に行うことができる。
【００５８】
したがって、例えば貯蔵室画像に表示されている食品を自分が食べていいのか、買い置きはあるのか、又は、あっても新しく買って帰ったほうがいいのか等の判断をすることができる。そして、買い忘れ、重複買い、消費忘れによる廃棄等の食品ロスを防ぐことが可能となる。
【００５９】
また、複数ユーザ間で賞味期限や、消費期限を共有して消費を促せるだけでなく、保管した本人しかわからない食品の購入日、調理日も複数のユーザに周知できるので、本人以外でも可食期限を推定することができる。さらに、貯蔵室画像及び食品情報を、冷蔵庫１０００の所有者以外の限定された第三者にも提供できるため、複数のユーザ間で在庫状況を共有し、コミュニケーションツールとしても利用することができる。
【００６０】
なお、この実施の形態１においては、無線通信部５は、食品情報付加部４により食品情報が付加された貯蔵室画像をユーザ端末９のみならず、操作パネル１へも送信している。食品情報が付加された貯蔵室画像を受信した操作パネル１は、この受信した貯蔵室画像をパネル表示部１ａに表示する。この際、パネル表示部１ａには、には、受信した貯蔵室画像に付加された食品情報が、当該貯蔵室画像に重ね合わせて表示される。すなわち、本体表示部であるパネル表示部１ａも、端末表示部であるユーザ端末表示部９ａと同じく、食品情報付加部４により付加された食品情報を貯蔵室画像に重ね合わせて表示することができる。
【００６１】
次に、以上のように構成された冷蔵庫システムの動作の流れの一例を、図８を参照しながら説明する。まず、ユーザにより冷蔵室扉１０１が開閉されると、前述したセンサが冷蔵室扉１０１の開閉を検知し、ステップＳ１１からステップＳ１２へと進む。
【００６２】
ステップＳ１２においては、庫内撮影装置２は、貯蔵室である冷蔵室１００の内部を撮影する。続くステップＳ１３において、撮影した冷蔵室１００の内部の画像を、貯蔵室画像として貯蔵室画像管理部３に送信する。続くステップＳ１４において、貯蔵室画像管理部３は、庫内撮影装置２が撮影した貯蔵室画像を、付帯情報（撮影時刻情報）とともに記憶し保存する。そして、続くステップＳ１５において、貯蔵室画像管理部３は、庫内撮影装置２が撮影した貯蔵室画像と、当該貯蔵室画像の付帯情報（撮影時刻情報）とを、食品情報付加部４に送信する。
【００６３】
ステップＳ１５の後はステップＳ１６へと進む。ステップＳ１６においては、食品情報付加部４は、食品情報出力部６から出力された食品情報が存在するか否かを確認する。食品情報出力部６から出力された食品情報が存在する場合は、ステップＳ１７へと進む。ステップＳ１７においては、食品情報付加部４は、食品情報出力部６から出力された食品情報を、貯蔵室画像管理部３から送信された貯蔵室画像に重ね合わせて保存する。
【００６４】
ステップＳ１７の後はステップＳ１８へと進む。一方、ステップＳ１６で、食品情報出力部６から出力された食品情報が存在しない場合は、ステップＳ１７を経ずに、ステップＳ１６からステップＳ１８へと進む。ステップＳ１８においては、食品情報付加部４は、貯蔵室画像を、操作パネル１及びユーザ端末９へと送信する。この送信は、無線通信部５を経由して行われる。このステップＳ１８で送信される貯蔵室画像は、ステップＳ１７を経た場合には、ステップＳ１７で食品情報が重ね合わされた貯蔵室画像である。一方、ステップＳ１７を経ない場合には、ステップＳ１８で送信される貯蔵室画像は、ステップＳ１５で貯蔵室画像管理部３が送信した貯蔵室画像そのままである。
【００６５】
続くステップＳ１９においては、パネル表示部１ａは、ステップＳ１８で送信された貯蔵室画像を表示する。また、ユーザ端末表示部９ａも、ステップＳ１８で送信された貯蔵室画像を表示する。ステップＳ１９が終了すると、ステップＳ１１と戻り、以上で説明した各ステップの動作が繰り返される。
【００６６】
なお、以上においては、庫内撮影装置２を冷蔵室１００に設けたが、冷蔵室１００以外の貯蔵室に設けてもよい。また、庫内撮影装置２を、複数の貯蔵室に同時に設置してもよい。例えば、野菜室５００は、比較的庫内状況を把握しにくい上に、劣化しやすい野菜が収納される貯蔵室である。したがって、野菜室５００に庫内撮影装置２を設置することで、複数のユーザ間で収納状況を共有でき、複数のユーザが収納状況を確認することで、野菜の消費期限等を把握し廃棄する可能性を低くすることができる。また冷凍室４００に庫内撮影装置２を設置することで、食事のメインとなる冷凍した肉、ご飯等の収納状況を把握できるとともに、購入した場合には必ず収納しなければならない冷凍食品の買い物量を判断することが可能となる。
【００６７】
実施の形態２．
図９は、この発明の実施の形態２に係るもので、冷蔵庫システムの全体構成と冷蔵庫の冷蔵室の構成とを模式的に示す図である。
【００６８】
ここで説明する実施の形態２は、前述した実施の形態１の構成では端末装置に設けられていた食品情報出力部、食品情報記憶部及び食品情報編集部を、冷蔵庫本体に設けるようにしたものである。以下、この実施の形態２に係る冷蔵庫システムについて、実施の形態１との相違点を中心に説明する。
【００６９】
この実施の形態２に係る冷蔵庫システムにおいては、図９に示すように、冷蔵庫１０００の操作パネル１は、食品情報出力部６、食品情報記憶部７及び食品情報編集部８を備えている。食品情報出力部６、食品情報記憶部７及び食品情報編集部８それぞれの構成、機能等は、実施の形態１と基本的に同じである。ただし、実施の形態１では、食品情報出力部６はユーザ端末９に設けられていた。このため、食品情報記憶部７に記憶された食品情報のうちから食品情報出力部６が選択して出力した食品情報は、ユーザ端末９から冷蔵庫１０００の無線通信部５へと送信され、無線通信部５で受信した食品情報を食品情報付加部４へと入力していた。
【００７０】
これに対し、この実施の形態２においては、食品情報出力部６は冷蔵庫１０００の操作パネル１に設けられている。このため、食品情報出力部６が選択して出力した食品情報は、無線通信部５を介することなく、直接に食品情報付加部４へ入力されるようになっている。
【００７１】
また、この実施の形態２においては、本体表示であるパネル表示部１ａは、貯蔵室画像管理部３（貯蔵室画像記憶部）に記憶された貯蔵室画像と、食品情報記憶部７に記憶された食品情報とを表示可能である。すなわち、パネル表示部１ａは、実施の形態１でユーザ端末表示部９ａに表示していた、通常画面２１、情報付加画面２２、スタンプ選択画面２７、スタンプ配置画面２８、定型文選択画面３２、定型文配置画面３３、定型文編集画面３７、編集文表示画面３８、日付入力画面４１及び日付配置画面４２の各画面を表示可能である。
【００７２】
したがって、ユーザは、パネル表示部１ａに表示された食品情報記憶部７に記憶された食品情報と貯蔵室画像とを確認しながら、食品情報記憶部７に記憶された食品情報のうちから、食品情報出力部６が選択して出力する情報を指定することができる。また、ユーザは、操作パネル１を操作して、食品情報編集部８により食品情報を編集することができる。
なお、他の構成及び動作については実施の形態１と同様であって、その詳細説明は省略する。
【００７３】
以上のように構成された実施の形態２に係る冷蔵庫システムにおいては、実施の形態１と同様の効果を奏することができるのに加えて、食品情報記憶部７及び食品情報出力部６が、冷蔵庫本体（冷蔵庫１０００）に設けられているため、食品情報出力部６が出力した食品情報を無線通信部５を介することなく食品情報付加部４に入力することができる。したがって、無線通信部５における通信負荷を減少させ、ユーザ端末９の数が多くなっても無線通信部５と各ユーザ端末９との間の通信を円滑に行うことができる。
【００７４】
また、容量が大きくなる可能性のある食品情報データベースを構成する食品情報記憶部７を、冷蔵庫１０００の本体側に設けることで、複数のユーザ端末９で必要な記憶データ容量を少量化することができる。さらに、食品情報出力部６が選択して出力する食品情報の指定を、冷蔵庫１０００の操作パネル１からだけ行えるようになるため、食品情報付加部４が貯蔵室画像に付加する食品情報を一元的に管理することが可能である。
【００７５】
実施の形態３．
図１０は、この発明の実施の形態３に係るもので、冷蔵庫システムの全体構成と冷蔵庫の冷蔵室の構成とを模式的に示す図である。
【００７６】
ここで説明する実施の形態３は、前述した実施の形態１の構成において、冷蔵庫本体及び端末装置とは別にサーバ装置を設け、サーバ装置に食品情報記憶部を設けるようにしたものである。以下、この実施の形態３に係る冷蔵庫システムについて、実施の形態１との相違点を中心に説明する。
【００７７】
この実施の形態３に係る冷蔵庫システムは、クラウドサーバ１１を備えている。クラウドサーバ１１は、通信ネットワークである例えばインターネット１０を介して、端末装置であるユーザ端末９と通信可能に設けられている。なお、ここではサーバ装置として、インターネット１０に接続された複数のサーバ（サーバ群）からなるクラウドサーバ１１を用いた場合を例示している。しかしながら、サーバ装置はクラウドサーバ１１に限られず、１台のサーバであってもよい。
【００７８】
クラウドサーバ１１は、食品情報記憶部７と個人認証部１２とを備えている。食品情報記憶部７の構成、機能等は、実施の形態１と基本的に同じである。個人認証部１２は、ユーザ端末９について冷蔵庫１０００への接続権限の有無を認証する。すなわち、クラウドサーバ１１の個人認証部１２は、冷蔵庫１０００のＩＤに対して、当該冷蔵庫１０００への接続権限を有するユーザ端末９の端末装置ＩＤを予め記憶している。
【００７９】
ここで、冷蔵庫１０００のＩＤとは、インターネット１０に接続された複数の冷蔵庫１０００を一意に識別可能な情報である。また、端末装置ＩＤとは、インターネット１０に接続された複数のユーザ端末９を一意に識別可能な情報である。そして、個人認証手段３００３は、ユーザ端末９の携帯端末ＩＤが、冷蔵庫１０００の冷蔵庫１０００に対して当該冷蔵庫１０００への接続権限を有するものとして記憶されているか否かを確認することで、ユーザ端末９について冷蔵庫１０００への接続権限の有無を認証する。
【００８０】
クラウドサーバ１１は、個人認証部１２により冷蔵庫１０００への接続権限を有することを認証したユーザ端末９が、インターネット１０又は無線通信部５を介して冷蔵庫１０００へと接続することを許可する。すなわち、クラウドサーバ１１は、個人認証部１２により冷蔵庫１０００への接続権限を有することが認証されていないユーザ端末９が、インターネット１０又は無線通信部５を介して冷蔵庫１０００へと接続することを制限する。
【００８１】
個人認証部１２が冷蔵庫１０００への接続権限を有することを認証したユーザ端末９は、無線通信部５等を介して冷蔵庫１０００に接続し、貯蔵室画像管理部３に記憶されている貯蔵室画像を取得して、貯蔵室画像をユーザ端末表示部９ａに表示することができる。このように、ユーザ端末９が冷蔵庫１０００への接続権限を有していると、当該ユーザ端末９のユーザ端末表示部９ａに、当該冷蔵庫１０００の貯蔵室画像管理部３に記憶されている貯蔵室画像を表示することができる。
【００８２】
したがって、個人認証部１２は、ユーザ端末９が、当該ユーザ端末９のユーザ端末表示部９ａに、貯蔵室画像管理部３に記憶された貯蔵室画像を表示する権限を有しているか否かを認証するものであると言い換えることができる。なお、実施の形態１及び実施の形態２においても、例えば、冷蔵庫１０００等に個人認証部１２を備えるようにしてもよい。
【００８３】
この実施の形態３においては、ユーザ端末９は、食品情報記憶部７を備えていない。一方、食品情報出力部６及び食品情報編集部８は、実施の形態１と同じくユーザ端末９に設けられている。ユーザがユーザ端末９の食品情報編集部８で編集した食品情報は、インターネット１０を介してクラウドサーバ１１へと送信される。クラウドサーバ１１は、受信した編集後の食品情報を食品情報記憶部７に記憶させて、食品情報の編集内容を反映させる。
【００８４】
また、ユーザ端末９は、インターネット１０を介してクラウドサーバ１１の食品情報記憶部７に記憶されている食品情報を取得してユーザ端末表示部９ａに表示することができる。ユーザは、ユーザ端末表示部９ａに表示された貯蔵室画像及び食品情報を確認しながら、食品情報記憶部７に記憶された食品情報のうちから、食品情報出力部６が選択して出力する情報を指定することができる。
【００８５】
食品情報出力部６は、クラウドサーバ１１の食品情報記憶部７に記憶された食品情報のうちから、指定されたものを選択して出力する。そして、食品情報出力部６が選択して出力した食品情報は、ユーザ端末９から無線通信部５へと送信され、食品情報付加部４に入力される。なお、他の構成及び動作については実施の形態１と同様であって、その詳細説明は省略する。
【００８６】
以上のように構成された実施の形態３の冷蔵庫システムは、実施の形態１と同様の効果を奏することができるのに加えて、容量が大きくなる可能性のある食品情報データベースを構成する食品情報記憶部７を、クラウドサーバ１１に設けることで、冷蔵庫１０００及び複数のユーザ端末９で必要な記憶データ容量を少量化することができる。
【００８７】
さらに冷蔵庫１０００を所有するユーザ本人以外のユーザが所持するユーザ端末９の端末装置ＩＤをクラウドサーバ１１の個人認証部１２に登録しておけば、セキュリティを維持した上で、ユーザの冷蔵庫１０００の庫内状況を、食品情報出力部６が選択出力した食品情報とともに共有することが可能となる。また、例えば、スーパーマーケット等の買い物先において、貯蔵室内の食品の在庫状態を容易に確認することが可能となるため、家族同士で同じ食材を重複して買ったり、買い忘れたりすること等を防ぐことができる。
【００８８】
なお、以上で説明した個人認証部１２はＩＤを用いて権限を認証するものであった。認証方法については、これに限定されない。ＩＤの他に、例えば、指紋、静脈、目の虹彩等の生体認証、又は、パスワードによる認証、もしくは、これらの認証方法の組み合わせによって、権限を認証するようにしてもよい。
【００８９】
実施の形態４．
図１１は、この発明の実施の形態４に係るもので、冷蔵庫システムの全体構成と冷蔵庫の冷蔵室の構成とを模式的に示す図である。
【００９０】
ここで説明する実施の形態４は、前述した実施の形態３の構成において、サーバ装置に貯蔵室画像管理部及び食品情報付加部も設けるようにしたものである。以下、この実施の形態４に係る冷蔵庫システムについて、実施の形態３との相違点を中心に説明する。
【００９１】
この実施の形態４に係る冷蔵庫システムは、実施の形態３と同じくクラウドサーバ１１を備えている。クラウドサーバ１１は、通信ネットワークである例えばインターネット１０を介して、冷蔵庫本体である冷蔵庫１０００と通信可能に接続されている。また、クラウドサーバ１１は、同じく通信ネットワークである例えばインターネット１０を介して、端末装置であるユーザ端末９とも通信可能に接続されている。なお、実施の形態３と同様に、サーバ装置はクラウドサーバ１１に限られず、１台のサーバであってもよい。
【００９２】
クラウドサーバ１１は、食品情報記憶部７と個人認証部１２に加えて、さらに、貯蔵室画像管理部３及び食品情報付加部４を備えている。食品情報記憶部７及び個人認証部１２の構成、機能等は、実施の形態３と基本的に同じである。また、貯蔵室画像管理部３及び食品情報付加部４の構成、機能等は、実施の形態１と基本的に同じである。
【００９３】
この実施の形態４においては、冷蔵庫１０００の制御基板１００１には、貯蔵室画像管理部３及び食品情報付加部４を設けられていない。制御基板１００１には、無線通信部５が設けられている。庫内撮影装置２から出力された貯蔵室画像は、無線通信部５に入力される。無線通信部５は、入力された貯蔵室画像を、インターネット１０を介してクラウドサーバ１１へと送信する。クラウドサーバ１１が貯蔵室画像を受信すると、受信した貯蔵室画像をクラウドサーバ１１に設けられた貯蔵室画像管理部３が記憶する。
【００９４】
食品情報出力部６及び食品情報編集部８は、実施の形態３と同じくユーザ端末９に設けられている。ユーザがユーザ端末９の食品情報編集部８で編集した食品情報は、インターネット１０を介してクラウドサーバ１１へと送信される。クラウドサーバ１１は、受信した編集後の食品情報を食品情報記憶部７に記憶させて、食品情報の編集内容を反映させる。
【００９５】
また、ユーザ端末９は、インターネット１０を介してクラウドサーバ１１の食品情報記憶部７に記憶されている食品情報を取得してユーザ端末表示部９ａに表示することができる。ユーザは、ユーザ端末表示部９ａに表示された貯蔵室画像及び食品情報を確認しながら、食品情報記憶部７に記憶された食品情報のうちから、食品情報出力部６が選択して出力する情報を指定することができる。
【００９６】
食品情報出力部６は、クラウドサーバ１１の食品情報記憶部７に記憶された食品情報のうちから、指定されたものを選択して出力する。そして、食品情報出力部６が選択して出力した食品情報は、ユーザ端末９からインターネット１０を介してクラウドサーバ１１へと送信される。クラウドサーバ１１が受信した食品情報は、クラウドサーバ１１に設けられた食品情報付加部４に入力される。食品情報付加部４は、貯蔵室画像管理部３に記憶された貯蔵室画像に、クラウドサーバ１１が受信した食品情報を付加する。
【００９７】
食品情報付加部４により食品情報が付加された貯蔵室画像は、クラウドサーバ１１からインターネット１０を介してユーザ端末９へと送信される。食品情報が付加された貯蔵室画像を受信したユーザ端末９は、この受信した貯蔵室画像をユーザ端末表示部９ａに表示する。この際、ユーザ端末表示部９ａには、受信した貯蔵室画像に付加された食品情報が、当該貯蔵室画像に重ね合わせて表示される。
【００９８】
また、食品情報付加部４により食品情報が付加された貯蔵室画像は、クラウドサーバ１１からインターネット１０を介して冷蔵庫１０００の無線通信部５へも送信される。食品情報が付加された貯蔵室画像を受信した無線通信部５は、この受信した貯蔵室画像を操作パネル１へと送信する。食品情報が付加された貯蔵室画像を受信した操作パネル１は、この受信した貯蔵室画像をパネル表示部１ａに表示する。この際、パネル表示部１ａには、受信した貯蔵室画像に付加された食品情報が、当該貯蔵室画像に重ね合わせて表示される。なお、他の構成及び動作については実施の形態１又は実施の形態３と同様であって、その詳細説明は省略する。
【００９９】
以上のように構成された実施の形態４の冷蔵庫システムは、実施の形態１又は実施の形態３と同様の効果を奏することができるのに加えて、貯蔵室画像のデータを記憶、管理する貯蔵室画像管理部３を、クラウドサーバ１１に設けることで、冷蔵庫１０００及び複数のユーザ端末９で必要な記憶データ容量をさらに少量化することができる。また、貯蔵室画像に食品情報を付加する画像処理等を行う食品情報付加部４をクラウドサーバ１１に設けることで、冷蔵庫１０００の制御基板１００１における処理負荷を軽減するこができる。
【産業上の利用可能性】
【０１００】
この発明は、食品を収納する貯蔵室の内部を撮影して貯蔵室画像を出力するカメラを有する冷蔵庫本体と、端末表示部を有し冷蔵庫本体と通信可能に設けられた端末装置と、を備えた冷蔵庫システムに利用できる。
【符号の説明】
【０１０１】
１    操作パネル
１ａ  パネル表示部
２    庫内撮影装置
３    貯蔵室画像管理部
４    食品情報付加部
５    無線通信部
６    食品情報出力部
７    食品情報記憶部
８    食品情報編集部
９    ユーザ端末
９ａ  ユーザ端末表示部
１０    インターネット
１１    クラウドサーバ
１２    個人認証部
２１    通常画面
２２    情報付加画面
２３    時刻情報
２４    スタンプ
２４ａ  プレゼントスタンプ
２４ｂ  ドクロスタンプ
２５    定型文コメント
２５ａ  伝達定型文コメント
２５ｂ  警告定型文コメント
２６    日付バルーン
２６ａ  賞味期限バルーン
２６ｂ  調理日バルーン
２７    スタンプ選択画面
２８    スタンプ配置画面
２９    スタンプ一覧
３０    選択スタンプ
３１    スタンプ決定ボタン
３２    定型文選択画面
３３    定型文配置画面
３４    定型文コメント一覧
３５    選択定型文コメント
３６    定型文コメント決定ボタン
３７    定型文編集画面
３８    編集文表示画面
３９    定型文編集入力パッド
４０    編集後コメント
４１    日付入力画面
４２    日付配置画面
４３    日付種類選択欄
４４    日付選択欄
４５    選択日付バルーン
４６    日付バルーン決定ボタン
１００    冷蔵室
１０１    冷蔵室扉
１０２    冷蔵室棚板
１１０    チルド室
１１１    チルドケース
２００    製氷室
３００    切替室
４００    冷凍室
５００    野菜室
１０００  冷蔵庫
１００１  制御基板
１０１０  冷却風路
【図１】
2018016054.tif 000003
【図２】
2018016054.tif 000004
【図３】
2018016054.tif 000005
【図４】
2018016054.tif 000006
【図５】
2018016054.tif 000007
【図６】
2018016054.tif 000008
【図７】
2018016054.tif 000009
【図８】
2018016054.tif 000010
【図９】
2018016054.tif 000011
【図１０】
2018016054.tif 000012
【図１１】
2018016054.tif 000013
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
食品を収納する貯蔵室と、前記貯蔵室の内部を撮影して貯蔵室画像を出力するカメラと、を有する冷蔵庫本体と、
端末表示部を有し、前記冷蔵庫本体と通信可能に設けられた端末装置と、を備え、
前記端末表示部は、前記貯蔵室に収納された食品に関する食品情報を前記カメラから出力された貯蔵室画像に重ね合わせて表示し、
前記食品情報には、食品に関する日付からなる日付情報が含まれ、
貯蔵室画像に重ね合わせて前記端末表示部に表示する日付情報の種類を追加又は削除することが可能である冷蔵庫システム。
【請求項２】
前記カメラから出力された貯蔵室画像を記憶する貯蔵室画像記憶部と、
前記食品情報を記憶する食品情報記憶部と、
前記食品情報記憶部に記憶された食品情報の一部又は全部を選択して出力する食品情報出力部と、
前記貯蔵室画像記憶部に記憶された貯蔵室画像に、前記食品情報出力部が出力した食品情報を付加する食品情報付加部と、さらに備え、
前記端末表示部は、前記食品情報付加部により付加された食品情報を貯蔵室画像に重ね合わせて表示する請求項１に記載の冷蔵庫システム。
【請求項３】
前記貯蔵室画像記憶部及び前記食品情報付加部は、前記冷蔵庫本体に設けられた請求項２に記載の冷蔵庫システム。
【請求項４】
前記冷蔵庫本体は、
前記貯蔵室を開閉する扉と、
前記扉の外面側に設けられ、情報を表示可能な本体表示部と、をさらに備え、
前記食品情報記憶部及び前記食品情報出力部は、前記冷蔵庫本体に設けられ、
前記本体表示部は、前記貯蔵室画像記憶部に記憶された貯蔵室画像と、前記食品情報記憶部に記憶された食品情報とを表示可能である請求項３に記載の冷蔵庫システム。
【請求項５】
前記食品情報記憶部及び前記食品情報出力部は、前記端末装置に設けられ、
前記端末表示部は、前記貯蔵室画像記憶部に記憶された貯蔵室画像と、前記食品情報記憶部に記憶された食品情報とを表示可能である請求項３に記載の冷蔵庫システム。
【請求項６】
前記端末装置と通信可能に設けられたサーバ装置を備え、
前記食品情報記憶部は、前記サーバ装置に設けられ、
前記食品情報出力部は、前記端末装置に設けられ、
前記端末表示部は、前記貯蔵室画像記憶部に記憶された貯蔵室画像と、前記食品情報記憶部に記憶された食品情報とを表示可能である請求項３に記載の冷蔵庫システム。
【請求項７】
前記冷蔵庫本体及び前記端末装置と通信可能に設けられたサーバ装置を備え、
前記貯蔵室画像記憶部、前記食品情報付加部及び前記食品情報記憶部は、前記サーバ装置に設けられ、
前記食品情報出力部は、前記端末装置に設けられ、
前記端末表示部は、前記貯蔵室画像記憶部に記憶された貯蔵室画像と、前記食品情報記憶部に記憶された食品情報とを表示可能である請求項２に記載の冷蔵庫システム。
【請求項８】
前記食品情報記憶部が記憶する食品情報には、食品に関するイラスト又は記号からなるスタンプ情報が含まれる請求項２から請求項７のいずれか一項に記載の冷蔵庫システム。
【請求項９】
前記食品情報記憶部が記憶する食品情報には、食品に関する文章からなる定型文情報が含まれる請求項２から請求項８のいずれか一項に記載の冷蔵庫システム。
【請求項１０】
前記食品情報記憶部が記憶する食品情報を編集する食品情報編集部をさらに備えた請求項２から請求項９のいずれか一項に記載の冷蔵庫システム。
【請求項１１】
前記端末装置が、当該端末装置の前記端末表示部に、前記貯蔵室画像記憶部に記憶された貯蔵室画像を表示する権限を有しているか否かを認証する認証部をさらに備えた請求項２から請求項１０のいずれか一項に記載の冷蔵庫システム。
【手続補正２】
【補正対象書類名】明細書
【補正対象項目名】０００６
【補正方法】変更
【補正の内容】
【０００６】
この発明に係る冷蔵庫システムは、食品を収納する貯蔵室と、前記貯蔵室の内部を撮影して貯蔵室画像を出力するカメラと、を有する冷蔵庫本体と、端末表示部を有し、前記冷蔵庫本体と通信可能に設けられた端末装置と、を備え、前記端末表示部は、前記貯蔵室に収納された食品に関する食品情報を前記カメラから出力された貯蔵室画像に重ね合わせて表示し、前記食品情報には、食品に関する日付からなる日付情報が含まれ、貯蔵室画像に重ね合わせて前記端末表示部に表示する日付情報の種類を追加又は削除することが可能である構成とする。
【手続補正３】
【補正対象書類名】明細書
【補正対象項目名】００３６
【補正方法】変更
【補正の内容】
【００３６】
選択スタンプ３０は、スタンプ一覧２９からユーザが指定したスタンプ情報である。ユーザは、スタンプ配置画面２８において選択スタンプ３０が表示される位置を変更して、貯蔵室画像に対する選択スタンプ３０の表示位置を指定することができる。選択スタンプ３０の表示位置の指定は、例えば、選択スタンプ３０をドラッグ操作で移動し、さらに、ピンチイン／ピンチアウト操作により縮小／拡大することにより行うことができるようにしてもよい。そして、ユーザがスタンプ決定ボタン３１を操作すると、食品情報出力部６から出力するスタンプ情報の指定と当該スタンプ情報の表示位置とを決定することができる。
【手続補正４】
【補正対象書類名】明細書
【補正対象項目名】００３７
【補正方法】変更
【補正の内容】
【００３７】
図５は、食品情報のうち食品情報出力部６から選択して出力する定型文情報を指定する場合の例を示すものである。図５の（ａ）に示すのは、ユーザ端末表示部９ａに定型文選択画面３２を表示した状態の一例である。定型文選択画面３２には、定型文コメント一覧３４が表示されている。この定型文コメント一覧３４には、食品情報記憶部７に記憶されている定型文情報が一覧となって表示される。ユーザは、食品情報出力部６が出力する定型文情報を、定型文コメント一覧３４から選択して指定することができる。
【手続補正５】
【補正対象書類名】明細書
【補正対象項目名】００６０
【補正方法】変更
【補正の内容】
【００６０】
なお、この実施の形態１においては、無線通信部５は、食品情報付加部４により食品情報が付加された貯蔵室画像をユーザ端末９のみならず、操作パネル１へも送信している。食品情報が付加された貯蔵室画像を受信した操作パネル１は、この受信した貯蔵室画像をパネル表示部１ａに表示する。この際、パネル表示部１ａには、受信した貯蔵室画像に付加された食品情報が、当該貯蔵室画像に重ね合わせて表示される。すなわち、本体表示部であるパネル表示部１ａも、端末表示部であるユーザ端末表示部９ａと同じく、食品情報付加部４により付加された食品情報を貯蔵室画像に重ね合わせて表示することができる。
【手続補正６】
【補正対象書類名】図面
【補正対象項目名】図６
【補正方法】変更
【補正の内容】
【図６】
2018016054.tif 000014
【国際調査報告】
2018016054.tif 000015
2018016054.tif 000016
2018016054.tif 000017
2018016054.tif 000018